(57)【要約】【課題】  記録媒体の排出時に開閉蓋から発生する音が小さい、開閉蓋を備えた電子機器を提供する。【解決手段】  トレイ又は記録媒体を収容したケースが排出される取り出し口を開閉する開閉蓋（２）の内側面に、この内側面に立設する基部（２ｂ３）と、この基部（２ｂ３）の先端部に連接し開閉蓋（２）に沿った方向に延在するアーチ部（２ｂ１）とを有する当接部（２ｂ）を形成し、アーチ部（２ｂ１）に、トレイ（３）又は記録媒体を収容したケース（３）が最初に当接するよう構成した。【選択図】      図２
2005293632.tif 000002
【特許請求の範囲】
【請求項１】
記録媒体を載置可能なトレイが挿入及び排出される開口部を、回動により開閉する開閉蓋であって、前記排出の際に、前記トレイの当接により回動して前記開口部を開口する開閉蓋を備えた電子機器において、
前記開閉蓋の内側面に、
該内側面に立設する基部と該基部の先端部に連接し前記開閉蓋に沿った方向に延在するアーチ部とを有して前記トレイが当接する当接部を形成し、
前記アーチ部に、前記トレイが最初に当接するよう構成して成ることを特徴とする開閉蓋を備えた電子機器。
【請求項２】
記録媒体を収容したケースが挿入及び排出される開口部を、回動により開閉する開閉蓋であって、前記排出の際に、前記ケースの当接により回動して前記開口部を開口する開閉蓋を備えた電子機器において、
前記開閉蓋の内側面に、
該内側面に立設する基部と該基部の先端部に連接し前記開閉蓋に沿った方向に延在するアーチ部とを有して前記ケースが当接する当接部を形成し、
前記アーチ部に、前記ケースが最初に当接するよう構成して成ることを特徴とする開閉蓋を備えた電子機器。
【発明の詳細な説明】
【技術分野】
【０００１】
本発明は、開閉蓋を備えた電子機器に係り、特に、記録媒体載置したトレイまたは記録媒体が出入りする取り出し口を塞ぐ開閉蓋を有する電子機器に関する。
【背景技術】
【０００２】
従来、ＶＴＲやＤＶＤ（Ｄｉｇｉｔａｌ  Ｖｅｒｓａｔｉｌｅ  Ｄｉｓｃ）レコーダのような電子機器において、再生や記録のために本体内部にテープカセットやディスク等の記録媒体を挿入したり、あるいは、外部にこれらを排出したりする取り出し口を本体全面に有するものが一般的に知られている。
【０００３】
また、通常、外観性能の向上や外部からの埃の侵入防止を目的として、この取り出し口を塞ぐ蓋が備えられている。
取り出し口は記録媒体に合わせた横長の矩形で、これを塞ぐ開閉蓋は、取り出し口の上辺又は下辺に沿った軸を中心に回動して開閉し、閉じ方向に付勢するねじりバネ等により記録媒体の挿入／排出時以外は、取り出し口の周囲枠等に当接してこの開口を蓋するように構成されている。
【０００４】
このような電子機器の一例を図１に示す。この電子機器はＣＤ（Ｃｏｍｐａｃｔ  Ｄｉｓｃ）プレーヤである。
図１（Ａ）に示すように、プレーヤの本体１０は、蓋２を備えた取り出し口１を有しており、この取り出し口１からＣＤ４を載置したトレイ３が排出される（図１（Ｂ）参照）。
【０００５】
また、トレイが５段のＣＤチェンジャを備えた電子機器の例を図１（Ｃ）に示す。当図も、トレイ３０ａ〜３０ｅの内の再下段のトレイ３０ｅが取り出し口１から排出された状態を示している。
【０００６】
このような構成の開閉蓋については、例えば、特許文献１に記載されたものがある。
【特許文献１】特開平１０−９２０６６号公報
【発明の開示】
【発明が解決しようとする課題】
【０００７】
ところで、内部に装填された記録媒体は、例えばそれがビデオカセットの場合、排出時に開閉蓋の内側面にカセット自体が当接し、バネの付勢に抗してこの蓋を開けて排出される。
【０００８】
また、ディスクの場合は、例えば、ディスクが載置されたトレイが開閉蓋の内側面に当接し、同様に蓋を開けて排出される。
開閉蓋の内側面には、カセットやトレイを当接させるための当接部が設けられており、一般的に当接部はリブ状に形成されている。
【０００９】
カセットあるいはトレイのいずれにおいても、最初に当接した際に衝撃音が発生し、その後、排出動作に伴ってこれらが開閉蓋のリブ上を摺動する際の摺動音が発生する。
従来、排出速度が比較的低速であったので、衝撃音や摺動音は低周波数帯域に集中し、音圧も低いものであった。従って、聴感上気になるものではなかった。
【００１０】
しかしながら、近年、ＣＤ（Ｃｏｍｐａｃｔ  Ｄｉｓｃ）やＤＶＤの普及に伴い、ディスクの交換を迅速に行いたいとする市場要望が強くなり、ディスク排出速度の高速化が必須となった。
【００１１】
そのため、ディスクを載置したトレイが高速でリブに当接し、大きな衝撃音が発生するという問題が生じていた。
また、ディスクを搭載する装置の車載対応や省スペース対応による機器の薄型化要求により、トレイもできる限り薄く形成する必要が生じてきた。
【００１２】
そのため、薄いトレイでも充分な強度を得るために、トレイ材質として、従来のＡＢＳ（アクリロニトリル・ブタジエン・スチレン）樹脂ではなく、高剛性で寸法精度に優れたＰＣ（ポリカーボネート）樹脂やガラス繊維強化樹脂を採用する場合が多くなっている。
【００１３】
しかしながら、このような高剛性材のトレイの場合、従来よりも発生する音の周波数分布は高音域側に偏倚すると共に衝撃音が確実に大きくなって聴感上耳障りになるという問題が生じていた。
【００１４】
トレイがリブに当接する瞬間だけ、トレイの移動速度を遅くするようにトレイ動作を制御する方法も提案されているが、構造が複雑でコストアップとなり、また、動作がぎこちなくなるため、好ましいものではなく、特に汎用機器には搭載が難しい。
【００１５】
そこで、本発明が解決しようとする課題は、記録媒体の排出時に開閉蓋から発生する音が小さい、開閉蓋を備えた電子機器を提供することにある。
【課題を解決するための手段】
【００１６】
上記の課題を解決するために、本願発明は手段として次の構成を有する。
即ち、請求項１に係る発明は、記録媒体（４）を載置可能なトレイ（３）が挿入及び排出される開口部（１）を、回動により開閉する開閉蓋（２）であって、前記排出の際に、前記トレイ（３）の当接により回動して前記開口部（１）を開口する開閉蓋（２）を備えた電子機器において、
前記開閉蓋（２）の内側面に、該内側面に立設する基部（２ｂ３）と該基部（２ｂ３）の先端部に連接し前記開閉蓋（２）に沿った方向に延在するアーチ部（２ｂ１）とを有して前記トレイ（３）が当接する当接部（２ｂ）を形成し、前記アーチ部（２ｂ１）に、前記トレイ（３）が最初に当接するよう構成して成ることを特徴とする開閉蓋を備えた電子機器（１００）である。
【００１７】
また、請求項２に係る発明は、記録媒体を収容したケース（３）が挿入及び排出される開口部（１）を、回動により開閉する開閉蓋（２）であって、前記排出の際に、前記ケース（３）の当接により回動して前記開口部（１）を開口する開閉蓋（２）を備えた電子機器において、
前記開閉蓋（２）の内側面に、該内側面に立設する基部（２ｂ３）と該基部（２ｂ３）の先端部に連接し前記開閉蓋（２）に沿った方向に延在するアーチ部（２ｂ１）とを有して前記ケース（３）が当接する当接部（２ｂ）を形成し、前記アーチ部（２ｂ１）に、前記ケース（３）が最初に当接するよう構成して成ることを特徴とする開閉蓋を備えた電子機器（１００）である。
【発明の効果】
【００１８】
本発明によれば、記録媒体の排出時に開閉蓋から発生する音が極めて小さいという効果を奏する。
【発明を実施するための最良の形態】
【００１９】
本発明の実施の形態を、好ましい実施例により図１〜図７を用いて説明する。
図１は、本発明の開閉蓋を備えた電子機器の実施例を説明する斜視図であり、
図２は、本発明の開閉蓋を備えた電子機器の実施例の動作を説明するための断面図であり、
図３は、開閉蓋を備えた電子機器の実施例における開閉蓋の一例を示す断面図であり、
図４は、開閉蓋を備えた電子機器の実施例における開閉蓋を説明する部分斜視図であり、
図５は、開閉蓋を備えた電子機器の実施例におけるトレイを説明する斜視図であり、
図６は、開閉蓋を備えた電子機器の実施例における開閉蓋の変形例を説明する断面図であり、
図７は、開閉蓋を備えた電子機器の実施例における開閉蓋の一例を説明する他の断面図である。
【００２０】
図１は、実施例の開閉蓋を備えた電子機器の外観斜視図である。この実施例の電子機器１００は、ＤＶＤ等のディスクを用いて記録再生するディスク装置である。
図１（Ａ）は、本体１０内部にディスク４を格納した格納状態を示し、図１（Ｂ）は、ディスク４を載置したトレイ３が、取り出し口１から排出された排出状態を示している。また、格納状態では、取り出し口１は開閉蓋２により塞がれている。
【００２１】
図２は、図１（Ａ）の断面Ｓ１における、図１（Ａ）の格納状態から図１（Ｂ）排出状態までのトレイの排出動作を説明する断面図である。
図２（ａ）が図１（Ａ）のトレイ位置に相当し、図２（ｅ）が図１（Ｂ）のトレイ位置に相当する。
【００２２】
このディスク装置１００における本体１０の内部には、トレイ３を往復移動させる駆動手段５を備えている。この駆動手段５は、周知の駆動方法と駆動機構を用いたものある。
格納状態において、取り出し口１は開閉蓋２で塞がれた状態にある。
【００２３】
開閉蓋２は、取り出し口１に対応した矩形の板状部材であり、回動軸２ａを中心に矢印方向に回動可能とされている。
また、開閉蓋２は図示しない付勢手段により時計方向に付勢され、本体側の当接部（図示せず）に当接して取り出し口１を塞いでいる。
【００２４】
開閉蓋２の裏面（ディスク装置１００の内部側の面）には、当接部２ｂが設けられている。この当接部２ｂについては後述する。
ディスクの排出動作が開始すると、駆動手段５によりトレイ３は取り出し口１に向けて移動し、開閉蓋２の当接部２ｂに衝突する。図２（ｂ）は、移動するトレイ３が開閉蓋２に衝突した瞬間を示している。
【００２５】
この衝突状態について、図３及び図４を用いて詳述する。
図３（Ａ）は、開閉蓋２の断面図であり、図４（Ａ）は開閉蓋２における当接部２ｂを設けた部分を蓋２の裏面側から見た斜視図である。
【００２６】
開閉蓋２の裏面には、両端側が開閉蓋２の内側面２ｆから立設した基部２ｂ３として成るアーチ状の当接部２ｂが形成されている。
この形状を当図の矢印ｋ方向に型開きする金型を用いた射出成形で形成するために、開閉蓋２の表面には開口部２ｃが形成される。
【００２７】
この開口部２ｃは、埃等の侵入を防止するために、目隠しシート等を貼付する等により塞がれている。
また、当接部２ｂの厚さｔ１と幅ｗ１〔図４（Ａ）参照〕は１ｍｍであり、比較的薄肉に形成される。また、当接部２ｂの中央部は、開口部２ｃにより中抜き状態とされたアーチ部２ｂ１となっている。
【００２８】
このため、このアーチ部２ｂは、当図の左右方向（矢印ｋ方向）に変形可能な弾性を有している。
排出されるトレイ３は、この弾性を有する当接部２ｂのアーチ部２ｂ１にがまず当接（衝突）するように構成されている。
【００２９】
そのため、図３（Ｂ）に示すように、トレイ３の衝突によりアーチ部２ｂ１は変形してその衝撃エネルギを吸収する。
従って、衝突音の音量が低減され、その高い周波数成分も減少するので、耳障りでない音色であって、音量の小さい衝撃音にすることができる。
【００３０】
トレイ３が当接部２ｂに衝突した後、トレイ３がさらに排出移動すると、図２（ｃ）に示すように、開閉蓋２は、付勢手段の付勢力に抗して半時計方向に回動する。
この排出移動の際には、トレイ３の下側角部３ｂが開閉蓋２のアーチ部２ｂ１の天面２ｂ２上を摺動するが、アーチ部２ｂ１は、上述したように弾性を有しているので、摺動音は音量が低減され、その高い周波数成分も減少するので、耳障りでない音色であって、音量の小さい摺動音になる。
【００３１】
さらに排出が進むと、図２（ｄ）に示すように、開閉蓋２の回動角度αが大きくなり、トレイ３とこれが当接して摺動する当接部２ｂとの成す角度θが小さくなって摺動により発生する音は自ずと小さくなる。
【００３２】
一方、トレイ３が当接する当接部２ｂの部位は、アーチ部２ｂ１から、開閉蓋２の端面側に設けられた幅広リブ部２ｄ（詳細は後述する）に移行する。
さらに排出が進むと、当接部２ｂに当接するトレイ３の部位が、下側角部３ｂから底面側の部位に移行する。
【００３３】
この状態を図２（ｅ）に示し、トレイの底面側を説明するための斜視図を図５に示す。
トレイ３は、射出成形で効率よく形成するために、ほぼ一様の肉厚の形状にされる。そのため、底面側には、強度確保の為のリブ３ａを排出方向に沿って複数形成している。
【００３４】
このリブ３ａを当接部２ｂにおける幅広リブ部２ｄに当接させる。リブ３ａを排出方向に沿って形成するのはそのためである。
リブ３ａは、幅を１〜１．５ｍｍ程度にするのが射出成形において好ましい。
【００３５】
そのため、トレイ３の動作における幅方向の裕度を得るために、当接部２の開閉蓋２の端部側に、幅を厚くした幅広リブ部２ｄを設け、リブ３ａをこれに当接させる構成にしている。この幅広リブ部２ｄの幅ｗ２は、一例として、リブ３ａの幅の３倍以上の５ｍｍにするとよい。
【００３６】
上述したように、トレイ３の排出動作において、開閉蓋２とトレイ３との当接により発生する衝撃音及び摺動音は、耳障りではない音色となり、また、音量は低減される。
これは、カセットが開閉蓋２に当接する場合も同様である。
【００３７】
一方、トレイやカセットの挿入動作においては、これらの移動方向は、開閉蓋２が付勢手段により付勢される方向であるから、その摺動音はもともと問題になる音量ではない。もちろん衝撃音は発生しない。
【００３８】
本発明の実施例は、上述した構成及び手順に限定されるものではなく、本発明の要旨を逸脱しない範囲において変形例としてもよいのは言うまでもない。
適用する電子機器１００は、ディスク４を載置するトレイ３を複数備えた所謂チェンジャータイプであってもよい。
【００３９】
この電子機器の一例を図１（Ｃ）及び図７を用いて説明する。
この電子機器１００は、ディスク４を載置するトレイを５段備えたディスクチェンジャ装置である。
【００４０】
当図においては、５段のトレイ３０ａ〜３０ｅの内の、最下段のトレイ３０ｅが排出された状態を示している。
また、この５段のトレイ３０ａ〜３０ｅと開閉蓋２のアーチ部２ｂ１との当接関係を、図７に示しており、この図においては、最上段のトレイ３０ａが排出された状態を実線で、最下段のトレイ３０ｅが排出された状態を破線で示している。
【００４１】
当図において、開閉蓋２のアーチ部２ｂ１は、トレイ３０ａ〜３０ｅのいずれのトレイ排出移動時においても最初に当接するように形成されている。
トレイの段数は任意に設定できるので、アーチ部２ｂ１を、トレイの段数や各トレイの排出時の位置に対応した必ず当接する位置に形成すればよい。
【００４２】
それにより、ディスクチェンジャ装置においても開閉蓋から発生する音を極めて小さくすることができる。
実施例に対する第１，第２の変形例をそれぞれ図４（Ｂ），図４（Ｃ）に示す。
【００４３】
第１の変形例は、当接部２ｂの両脇に、補助リブ２ｃを設けたものである。
この補助リブ２ｃは、当接部２ｂの高さｈ、即ち、開閉蓋２の裏面から当接部２ｂの天面２ｂ２までの距離よりも低い高さに形成されている。
【００４４】
この補助リブ２は、例えば、トレイ３が当接部２ｂに衝突する速度が極めて速い場合や、トレイ自体が非常に重く、運動エネルギーが大きい場合に、アーチ部２ｂ１が大きく変形して塑性変形してしまったり、破損したりするのを防ぐものである。即ち、アーチ部２ｂ１がある程度変形した後、トレイ３に当接するように設定されている。
【００４５】
従って、トレイ３の衝突に伴う衝撃エネルギの大部分をアーチ部２ｂ１に吸収させた後、トレイ３が補助リブ２ｃに当接するので、その際に発生する音は、充分小さいものとなる。
【００４６】
第２の変形例は、第１の変形例に対してアーチ部２ｂ１を片持ちの板ばね状にした例である。もちろん、実施例に対してこの片持ち形状を適用してもよい。
図６にその断面を示す。開閉蓋２の内側面２ｆから立設した基部２ｂ３の先端部に、内側面２ｆに沿って延びるアーチ部２ｂ１が連接して形成されている。
【００４７】
この場合、片持ち構造であるから、実施例よりも当接部２ｂの変形量を多くでき、トレイ３の衝突エネルギをより多く吸収することができる。
上述した実施例や変形例においては、移動するトレイの重量や移動速度等に応じた最適なエネルギ吸収ができるように、当接部２ｂの形状を設定するとよい。
【００４８】
この弾性を有する当接部２ｂの形状は、上述の実施例や変形例に限定されるものではなく、開閉蓋２の延在方向に対して直交する方向からの衝撃を吸収するように変形可能とした、開閉蓋２の回動軸２ａから開閉蓋２の短手方向端部側に向けて延在する突出したリブ状であればよい。
【００４９】
この当接部は、もちろん直線状でなくてもよく、曲線状でもよい。また、１つに限らず、複数設けてもよい。
また、トレイ等が最初に当接（衝突）する部位が最も大きく変形する部位となるように形成することが望ましい。具体的には、開閉蓋２から立設する部位から最も遠い位置を最初の当接部位とするとよい。
【００５０】
また、上述した実施例では、開閉蓋に当接するものとしてトレイやテープカセットを説明したが、これに限らず、ＭＤ（Ｍｉｎｉ  Ｄｉｓｃ）のカートリッジのようにディスクを収容したケースであってもよい。
【図面の簡単な説明】
【００５１】
【図１】本発明の開閉蓋を備えた電子機器の実施例を説明する斜視図である。
【図２】本発明の開閉蓋を備えた電子機器の実施例の動作を説明するための断面図である。
【図３】開閉蓋を備えた電子機器の実施例における開閉蓋の一例を示す断面図である。
【図４】開閉蓋を備えた電子機器の実施例における開閉蓋を説明する部分斜視図である。
【図５】開閉蓋を備えた電子機器の実施例におけるトレイを説明する斜視図である。
【図６】開閉蓋を備えた電子機器の実施例における開閉蓋の変形例を説明する断面図である。
【図７】開閉蓋を備えた電子機器の実施例における開閉蓋の一例を説明する他の断面図である。
【符号の説明】
【００５２】
１  取り出し口
２  開閉蓋
２ａ  回動軸
２ｂ  当接部
２ｂ１  アーチ部
２ｂ２天面
２ｂ３  基部
２ｃ  開口部
２ｄ  幅広リブ部
２ｅ  補助リブ
２ｆ  内側面
３  トレイ（ケース）
３ａ  リブ
３ｂ  下側角部
４  ディスク
５  駆動手段
１０  本体
３０ａ〜３０ｅ  トレイ
１００  電子機器（ディスク装置）
θ，α  角度
【図１】
2005293632.tif 000003
【図２】
2005293632.tif 000004
【図３】
2005293632.tif 000005
【図４】
2005293632.tif 000006
【図５】
2005293632.tif 000007
【図６】
2005293632.tif 000008
【図７】
2005293632.tif 000009